(57)【要約】      （修正有） 【課題】高度な演色性が求められる半導体発光装置において、演色性に対する情報のフィードバックが良好な半導体発光装置を提供する。【解決手段】半導体発光素子と感応素子２の近隣に粒径の大きな蛍光体が充填されている。そのため輝度を判定しフィードバックするために充分な光を受光する事が出来る。その結果半導体発光装置の高度な演色性を実現し、特に演色性が求められる特殊な用途に適した半導体発光装置を実現する事が出来る。【選択図】図２
0003151009.tif 000002
【実用新案登録請求の範囲】
【請求項１】
光出射方向に開口を有する凹部と、
前記凹部の底部に配置され、互いに発光色が異なる第1の発光素子及び第2の発光素子と、前記凹部の底部に配置され、前記第1の発光素子が放出する光を感知する感応素子と、
前記凹部の底面に前記第1の発光素子、第2の発光素子及び前記感応素子を被覆して配置され、且つ前記第2の発光素子の放出する光を吸収してこれとは異なる波長の光を放出する蛍光体を含有する第1の透光性樹脂と、前記第1の透光性樹脂を被覆し、且つ蛍光体を含有する第2の透光性樹脂とを備え、前記第1の透光性樹脂に含有される前記蛍光体の粒径が、前記第2の透光性樹脂に含有される前記蛍光体の粒径よりも大きいことを特徴とする半導体発光装置。
【請求項２】
前記感応素子は受光を感応する素子である事を特徴とした請求項１に記載の半導体発光装置。
【考案の詳細な説明】
【技術分野】
【０００１】
本考案は半導体発光装置に関し、特に表示装置のバックライト、照明装置等の発光源として使用される半導体発光装置に関する。
【背景技術】
【０００２】
液晶表示装置のバックライト、一般室内照明等の発光源に半導体発光装置、具体的には発光ダイオード（以下LED＝light emitting diode）が使用される傾向にある。LEDは、消費電力が少なく、寿命が長く、しかも水銀を含まない発光源であり実用化が進んでいる。
【０００３】
また近年においては、ＬＥＤの利用分野は多岐にわたるようになり、液晶表示装置のバックライトのみならず商品陳列用棚照明や家庭用照明など非常に高度な演色性が求められる分野が増えている。下記特許文献には複数の半導体発光素子と、感応素子と、前記感応素子が感応した情報を半導体発光素子へフィードバックする機能を有する半導体発光装置が記載されている。
【先行技術文献】
【特許文献】
【０００４】
【特許文献１】特表2005-531140号公報
【考案の概要】
【考案が解決しようとする課題】
【０００５】
しかしながら、前述の特許文献１に開示された半導体発光装置においては、蛍光体に反射することで光取り出し方向とは逆に進む光、つまり半導体発光素子が固着されている方向へ進む光の受光に関しては考慮されていなかった。そのため、感応素子が輝度を判定しフィードバックするために充分な光を受光する事が出来ず、充分な輝度判定を行う事ができていなかった。  
【０００６】
本考案は上記課題を解決するためになされたものである。従って、本考案は、半導体発光素子が固着されている方向へ進む光の受光を良好にし、感応素子が輝度を判定しフィードバックするために充分な光を受光する事が出来、高度な演色性を実現する半導体発光装置を提供することである。
【課題を解決するための手段】
【０００７】
上記課題を解決するために、本考案の特徴は、光出射方向が開口された凹部９を有する樹脂体７と前記凹部９の底部に配設され、互いに発光色が異なる複数の発光素子と、凹部９の底部に配設された感応素子２と、凹部９内の底部に複数の発光素子を覆って配設され、蛍光体が含有された第１の透光性樹脂４と、凹部９内において第１の透光性樹脂４上に配設され、第１の透光性樹脂４に比べて蛍光体の粒径が小さい第２の透光性樹脂５を備える。
【０００８】
本考案の半導体発光装置において、第２の透光性樹脂５には拡散材が含有されていることが好ましい。拡散材により放出された光は良好に拡散し、半導体発光装置の光取り出し効率を高める事が出来る。  
【考案の効果】
【０００９】
本考案によれば、半導体発光素子と感応素子２の近隣に粒径の大きな蛍光体が充填されているため、粒子の表面欠陥が少ない結晶性の良好な蛍光体が発光素子と感応素子の近隣に配設されている事となり、結果的に輝度を判定しフィードバックするために充分な光を受光する事が出来、高度な演色性を実現する半導体発光装置を実現する事が出来る。
【図面の簡単な説明】
【００１０】
【図１】は本考案にかかる半導体発光装置の上面図である。
【図２】は図１におけるA-A’点の断面図である。
【図３】は本考案の実施例における半導体発光装置の上面図である。
【考案を実施するための形態】
【００１１】
本考案の実施の形態は、液晶表示装置のバックライト、照明装置等の発光源として使用される半導体発光装置に本考案を適用した例を説明するものである。
【００１２】
図２に示すように、本考案の一実施の形態に係る半導体発光装置は、光出射方向Fが開口された凹部９を有する樹脂体７と、凹部９の底部に配設された発光素子と、同じく凹部９の底部に配設された感応素子２と、凹部９内の底部に複数の発光素子を覆って配設され、蛍光体が含有された第１の透光性樹脂４と、第１の透光性樹脂４上に配設され、第１の透光性樹脂に比べて蛍光体の含有量が少なく、かつ第１の透光性樹脂４の膜厚に比べて厚い膜厚を有する第２の透光性樹脂５とを備える。
【００１３】
第１の凹部９の第１の内側面は、発光素子から発せられた光、主に第１の底面に沿って発せられた光を光出射方向Fに向かって反射する反射面としての機能を有する。放熱体には例えば熱伝導性に優れたＣｕからなる板材が使用され、その表面には例えばＡｇめっきが形成されている。
【００１４】
発光素子は、例えば青色光を発する青色発光ダイオードであり４５０ｎｍ−４９０ｎｍの波長を有する発光ダイオードである。この青色発光素子１は、例えばサファイア基板上又はシリコン基板上に窒化物系半導体を形成した半導体チップである。
【００１５】
透光性樹脂のうち、第１の凹部９に充填された第１の透光性樹脂４は、複数の発光素子を覆い外部環境から複数の発光素子を保護するとともに、主に青色発光素子１から発せられる青色光の一部を吸収し、他の波長の光に変換するBOS（Barium ortho− Silicate）系蛍光体が含有されている。本考案における第１の透光性樹脂４に含有されている蛍光体の粒径は例えば10μmから20μmである。
【００１６】
透光性樹脂のうち、第２の凹部９に充填された第２の透光性樹脂５は、主に青色発光素子１から発せられた青色光、赤色発光素子８から発せられた赤色光、青色光の一部を第１の透光性樹脂４により変換した黄色光のそれぞれを相互に拡散し混色する。本考案における第２の透光性樹脂５に含有されている蛍光体の粒径は例えば5μmから10μmであり、第１の透光性樹脂４に同様にBOS系蛍光体。第２の透光性樹脂５には、光の拡散性、混色性等を促進する拡散材が含有されている。拡散材には例えば二酸化シリコンのフィラーを実用的に使用することができる。
【００１７】
樹脂体７の樹脂体には、一端側（インナーリード）が第２の凹部９の第２の底面上に配設され、他端側（アウターリード）が樹脂体の外部に突出し成型されたリード３が配設されている。リード３の一端側は複数の発光素子のアノード電極又はカソード電極にワイヤ６を通して電気的に接続される。リード３の他端側は本実施の形態においてガルウイング形状に成型されている。
【００１８】
リード３は例えばＣｕ合金材料の板材を使用して構成されている。少なくともリード３の一端側及び他端側の接続箇所にはＡｇめっき膜が配設されている。ワイヤ６には例えばＡｕやＡｌが使用されている。ワイヤ６は複数の発光素子３のアノード電極又はカソード電極に電気的に接続される。
【００１９】
以上説明したように、本考案の半導体発光装置においては感応素子２と感応素子２の近隣である第１の透光性樹脂４に粒径が大きな蛍光体充填されているため、粒子の表面欠陥が少ない結晶性の良好な蛍光体が発光素子と感応素子の近隣に配設されている事となる。そのため感応素子２が輝度を判定しフィードバックするために充分な光を受光する事が出来、高度な演色性を実現する半導体発光装置を実現する事が出来る。
【００２０】
上記のように、本考案を一実施の形態によって記載したが、本実施例は考案を本構造に限定するものではない。例えば図２に示すように外側の青色発光素子１と受光素子２が短手方向に並び、青色発光素子１が複数個長手方向に並び、そのうちに赤色発光素子８が１つ配設されている半導体発光装置１に本考案を適用した例を説明したが、本考案は、これに限定されるものではなく、８個以外の複数個の発光素子を複数列に配列した半導体発光装置に適用してもよく、赤色発光素子８の個数及び配設箇所も限定されるものではない。
【００２１】
更に、本考案は、青色発光素子１及び赤色発光素子８の２種類の発光素子に限定されるものではなく、青色発光素子１、赤色発光素子８及び緑色発光素子の３種類の発光素子を備えた半導体発光装置に適用することができる。
【産業上の利用可能性】
【００２２】
本考案による半導体発光装置は高度な演色性を求められる液晶表示装置のバックライト、特定用途照明装置等の発光源として有用である。
【符号の説明】
【００２３】
１、青色発光素子
２、感応素子
３、リード
４、第１の透光性樹脂
５、第２の透光性樹脂
６、ワイヤ
７、樹脂体
８、赤色発光素子
９、凹部
【図１】
0003151009.tif 000003
【図２】
0003151009.tif 000004
【図３】
0003151009.tif 000005